(57)【要約】【課題】天井等の被取付部が変色することを抑制しつつ、簡便にアームの剛性を確保する照明器具を提供する。【解決手段】照明器具は、光源を有する光源ユニットと、光源に電源を供給する電源ユニットと、光源ユニット及び電源ユニットを保持するアームと、を備え、アームは、被取付部に取り付けられる取付部と、取付部に接続され、取付部から光源側に延びる腕部と、を有し、腕部は、取付部側を基端として先端側に設けられ、光源ユニットを保持する光源保持部と、取付部と光源保持部との間に設けられ、電源ユニットの側面を保持する電源保持部と、を有する。【選択図】図１
2019145344.tif 000002
【特許請求の範囲】
【請求項１】
光源を有する光源ユニットと、
前記光源に電源を供給する電源ユニットと、
前記光源ユニット及び前記電源ユニットを保持するアームと、を備え、
前記アームは、
被取付部に取り付けられる取付部と、
前記取付部に接続され、前記取付部から前記光源側に延びる腕部と、を有し、
前記腕部は、
前記取付部側を基端として先端側に設けられ、前記光源ユニットを保持する光源保持部と、
前記取付部と前記光源保持部との間に設けられ、前記電源ユニットの側面を保持する電源保持部と、を有する
照明器具。
【請求項２】
前記アームは、Ｕ字状をなしており、
前記腕部は、前記取付部の両端から延びる一対の部材であり、
一対の前記腕部のそれぞれの前記電源保持部は、前記電源ユニットの両側面を挟持している
請求項１記載の照明器具。
【請求項３】
前記電源保持部には、
前記電源ユニットの底面を保持する切起こし片と、
前記電源ユニットの側面を固定する電源取付ネジが挿入される締結穴と、が形成されている
請求項１又は２記載の照明器具。
【請求項４】
前記電源ユニットの底面には、スリットが形成されており、
前記切起こし片が前記スリットに挿入されることにより、前記電源保持部が前記電源ユニットを保持する
請求項３記載の照明器具。
【請求項５】
前記光源保持部は、
前記光源ユニットを回転自在に保持するものであり、
前記光源ユニットの回転の支点となる支点部と、
前記支点部の水平方向の位置から下方に向けて延び、前記光源ユニットの回転をガイドするガイド部と、を有する
請求項１〜４のいずれか１項に記載の照明器具。
【請求項６】
前記電源ユニットは、
電源端子台を有する内部部品と、
前記内部部品を収納し、前記電源端子台に接続される電線が挿入される開口が形成されたケースと、を有し、
前記ケースには、前記開口を覆う遮蔽部が設けられている
請求項１〜５のいずれか１項に記載の照明器具。
【請求項７】
前記遮蔽部と前記支点部との間の距離は、前記遮蔽部と前記ガイド部との間の距離より短い
請求項５に従属する請求項６記載の照明器具。
【請求項８】
前記光源ユニットは、
前記光源から発生する熱を放散するベース板と、
前記ベース板に取り付けられ、前記光源を有する光源モジュールと、
前記光源モジュールの照射側に設けられるレンズと、
前記ベース板に取り付けられ、前記ベース板と共に前記光源モジュール及び前記レンズを保持するカバーと、を有する
請求項１〜７のいずれか１項に記載の照明器具。
【請求項９】
前記カバーは、樹脂で形成されている
請求項８記載の照明器具。
【発明の詳細な説明】
【技術分野】
【０００１】
本発明は、光源ユニット及び電源ユニットを保持するアームを備える照明器具に関する。
【背景技術】
【０００２】
従来、天井又は梁等に取り付けられる照明器具が知られている。また、高天井から吊り下げられる照明器具が知られている。これらの照明器具として、光源ユニット及び電源ユニットを保持するアームを備える照明器具が提案されている。特許文献１には、電源基板が収納された電源ユニットの両側面と、ＬＥＤが載置された光源ユニットの両側面とが、Ｕ字状のアームによって固定される照明器具が開示されている。特許文献１は、電源ユニットと光源ユニットとが、同じ箇所でアームにネジ止めされている。特許文献２には、光源ユニットがアームに保持され、アームと天井とで電源ユニットを挟んで保持する照明器具が開示されている。アームの腕部には、天井に取り付けられる固定部と、電源ユニットの底面を支持して熱的に接続する支持部とを有しており、腕部の先端において光源ユニットが支持される。電源ユニットは、上面が天井に接触しており、天井に熱的に接続されている。
【先行技術文献】
【特許文献】
【０００３】
【特許文献１】特開２０１７−１９１７５４号公報
【特許文献２】特開２０１７−１９５０３５号公報
【発明の概要】
【発明が解決しようとする課題】
【０００４】
しかしながら、特許文献１に開示された照明器具は、光源ユニットが取り付けられるアームの端部に片側１箇所ずつ設けられたアーム取付部に荷重が集中する。これを回避するために、アーム取付部を片側２箇所に増やすと、アーム取付部に形成された角度調整用の長穴の機能が失われ、光源ユニットを角度調整することができない。また、特許文献２に開示された照明器具は、天井とアームの支持部とで電源ユニットを挟み込んでいるため、天井のうち、電源ユニットの上面が接触している箇所が変色するおそれがある。
【０００５】
本発明は、上記のような課題を解決するためになされたもので、天井等の被取付部が変色することを抑制しつつ、簡便にアームの剛性を確保する照明器具を提供するものである。
【課題を解決するための手段】
【０００６】
本発明に係る照明器具は、光源を有する光源ユニットと、光源に電源を供給する電源ユニットと、光源ユニット及び電源ユニットを保持するアームと、を備え、アームは、被取付部に取り付けられる取付部と、取付部に接続され、取付部から光源側に延びる腕部と、を有し、腕部は、取付部側を基端として先端側に設けられ、光源ユニットを保持する光源保持部と、取付部と光源保持部との間に設けられ、電源ユニットの側面を保持する電源保持部と、を有する。
【発明の効果】
【０００７】
本発明によれば、アームの電源保持部が電源ユニットの側面を保持しているため、電源ユニットを天井等の被取付部とアームとで挟み込む必要がない。このため、被取付部が変色することを抑制することができる。また、光源ユニットと電源ユニットとは、アームの別々の位置である光源保持部及び電源保持部において、それぞれ保持されている。このため、アームの特定の１箇所に荷重が集中しない。従って、簡便にアームの剛性を確保することができる。
【図面の簡単な説明】
【０００８】
【図１】本発明の実施の形態１に係る照明器具１を示す組立斜視図である。
【図２】本発明の実施の形態１に係る照明器具１を示す組立斜視図である。
【図３】本発明の実施の形態１に係る照明器具１を示す上面図である。
【図４】本発明の実施の形態１に係る照明器具１を示す一方向からの側面図である。
【図５】本発明の実施の形態１に係る照明器具１を示す他方向からの側面図である。
【図６】本発明の実施の形態１において光源ユニット４０がアーム１１から取り外された状態を示す斜視図である。
【図７】本発明の実施の形態１において光源ユニット４０及び電源ユニット２０がアーム１１から取り外された状態を示す斜視図である。
【図８】本発明の実施の形態１に係るアーム１１を示す斜視図である。
【図９】本発明の実施の形態１に係る電源ユニット２０の分解斜視図である。
【図１０】本発明の実施の形態１に係る照明器具１を示す分解斜視図である。
【図１１】本発明の実施の形態１に係るフィンユニット３０ａを示す斜視図である。
【図１２】本発明の実施の形態１に係るフィン３１を示す斜視図である。
【図１３】本発明の実施の形態１に係るフィンユニット３０ａの配置場所を示す上面図である。
【図１４】本発明の実施の形態１に係る光源ユニット４０を示す分解斜視図である。
【図１５】本発明の実施の形態１に係る照明装置１ａを示す斜視図である。
【図１６】本発明の実施の形態２に係るアーム１１１を示す斜視図である。
【図１７】本発明の実施の形態３において光源ユニット４０がアーム１１から取り外された状態を示す斜視図である。
【発明を実施するための形態】
【０００９】
実施の形態１．
以下、本発明に係る照明器具の実施の形態について、図面を参照しながら説明する。図１は、本発明の実施の形態１に係る照明器具１を示す組立斜視図であり、図２は、本発明の実施の形態１に係る照明器具１を示す組立斜視図である。図２は、図１とは異なる角度からみたときの組立斜視図である。図３は、本発明の実施の形態１に係る照明器具１を示す上面図である。図４は、本発明の実施の形態１に係る照明器具１を示す一方向からの側面図であり、図５は、本発明の実施の形態１に係る照明器具１を示す他方向からの側面図である。図１〜図５に示すように、照明器具１は、光源ユニット４０と、アームユニット１０とを備えている。アームユニット１０は、天井又は梁等の被取付部に取り付けられるアーム１１と、光源４２に電源を供給する電源ユニット２０とを有している。
【００１０】
図６は、本発明の実施の形態１において光源ユニット４０がアーム１１から取り外された状態を示す斜視図であり、図７は、本発明の実施の形態１において光源ユニット４０及び電源ユニット２０がアーム１１から取り外された状態を示す斜視図である。図６に示すように、光源ユニット４０の側面は、アーム１１の光源保持部１１ｄに保持されている。図７に示すように、電源ユニット２０の側面は、アーム１１の電源保持部１１ｃに保持されている。
【００１１】
（アーム１１）
図８は、本発明の実施の形態１に係るアーム１１を示す斜視図である。図８に示すように、アーム１１は、例えば板金を折り曲げてＵ字状に形成された部材であり、材質としては亜鉛メッキ鋼板又はステンレス等である。アーム１１は、被取付部に取り付けられる取付部１１ａと、取付部１１ａに接続され、取付部１１ａの両端部から光源４２側に延びる一対の部材である腕部１１ｂとを有している。取付部１１ａと腕部１１ｂとは一体的に形成されている。取付部１１ａは、一方向に延びる板状の部材であり、両端部に被取付部にネジ止めするためのアーム取付穴１１ｅが形成されている。また、少なくとも一方のアーム取付穴１１ｅには、電線２６が挿入される通線穴１１ｊが併設されている。通線穴１１ｊに電線２６が挿入されることにより、電線２６が照明器具１の落下防止の機能を果たす。また、通線穴１１ｊが電線２６の張力止めとして機能する。
【００１２】
腕部１１ｂは、取付部１１ａ側を基端として先端側に設けられる光源保持部１１ｄと、取付部１１ａと光源保持部１１ｄとの間に設けられる電源保持部１１ｃとを有している。光源保持部１１ｄは、光源ユニット４０を回転自在に保持するものであり、支点部１１ｈと、ガイド部１１ｉとを有している。支点部１１ｈは、光源ユニット４０の回転の支点となるものであり、例えば丸穴である。ガイド部１１ｉは、支点部１１ｈの水平方向の位置から下方に向けて延び、光源ユニット４０の回転をガイドするものであり、円弧状の長穴である。即ち、支点部１１ｈとガイド部１１ｉの上端とは、水平方向において同じ位置にある。支点部１１ｈ及びガイド部１１ｉに、それぞれ角度調整ボルト１３（図７参照）が挿入されて、光源ユニット４０の本体フレーム３３に螺合される。
【００１３】
照明器具１が被取付部に対し直角に取り付けられる場合、ガイド部１１ｉの上端に角度調整ボルト１３が挿入された状態で螺合される。支点部１１ｈとガイド部１１ｉの上端とは、水平方向において同じ位置にあるため、照明器具１は被取付部に対し直角の位置に保持される。なお、角度調整ボルト１３は、ガイド部１１ｉの上端に位置するため、仮に角度調整ボルト１３が緩んでも、角度調整ボルト１３の位置は変わらない。このため、アーム１１は、光源ユニット４０を水平に保つことができる。
【００１４】
照明器具１が被取付部に対し傾斜して取り付けられる場合、取り付け前に角度調整ボルト１３が緩められ、アーム１１の角度が調整された後、角度調整ボルト１３が確実に固定される。この場合、ガイド部１１ｉの上端よりも下方に角度調整ボルト１３が挿入された状態で螺合される。これにより、照明器具１は回転し、照明器具１が被取付部に対し傾斜した状態で螺合される。光源保持部１１ｄは、互いに水平方向に位置する支点部１１ｈとガイド部１１ｉとから構成されているため、光源ユニット４０が、腕部１１ｂの短手方向である水平方向に分散して保持される。このため、荷重を分散させることができる。従って、角度調整ボルト１３が垂直方向に並列に配置されている場合に比べて、光源ユニット４０の水平方向の耐振動性を向上させることができる。
【００１５】
電源保持部１１ｃは、腕部１１ｂの中間の位置に設けられ、電源ユニット２０の両側面を挟持するものである。電源保持部１１ｃには、電源ユニット２０の底面を保持する切起こし片１１ｇと、電源ユニット２０の側面を固定する電源取付ネジ１２が挿入される締結穴１１ｆとが形成されている。
【００１６】
（電源ユニット２０）
図９は、本発明の実施の形態１に係る電源ユニット２０の分解斜視図である。図９に示すように、電源ユニット２０は、外部から供給される商用電源の電力を直流電力に変換し、光源モジュール４１に供給する。電源ユニット２０は、電源基板及び電源端子台２４を有する内部部品と、内部部品を収納するケース２１とを有している。内部部品の電源基板（図示せず）は、光源モジュール４１に電源を供給する。内部部品の電源端子台２４は、商用電源からの電線２６が接続される端子である。
【００１７】
ケース２１は、板金を折り曲げて形成された箱状の部材であり、材質としてはアルミニウム等である。これにより、軽量化を図ることができる。ケース２１は、底面側のケースボトム２３と、上面側のケーストップ２２とを有しており、ケースボトム２３にケーストップ２２が重ねられて、ケース２１が構成されている。ケースボトム２３及びケーストップ２２は、それぞれの側面において、電源取付ネジ１２によってアーム１１に共締めされる。これにより、ケースボトム２３とケーストップ２２とを固定するためのネジを削減し、ケース２１の剛性を確保することができる。
【００１８】
ケースボトム２３内には、電源基板及び電源端子台２４等が載置されている。ケースボトム２３の底面には、スリット２１ｃが形成されており、電源保持部１１ｃの切起こし片１１ｇが挿入される（図７参照）。これにより、電源保持部１１ｃが電源ユニット２０を保持する。このように、切起こし片１１ｇがスリット２１ｃに挿入されて引っ掛けられて電源ユニット２０が保持されるため、組立に必要なネジを削減することができる。ケーストップ２２の一側面には、一部が切り起こされて開口２１ｂが形成されている。切り起こされた部分は、開口２１ｂを覆うひさしの機能を有する遮蔽部２１ａとなる。開口２１ｂからは、電源端子台２４が露出しており、開口２１ｂに電線２６が挿入される。遮蔽部２１ａは、開口２１ｂの上面側を覆うことによって、電源端子台２４に塵埃等が付着することを抑制している。
【００１９】
ここで、電源ユニット２０とアーム１１の光源保持部１１ｄとの位置関係について説明する。光源保持部１１ｄにおいて、遮蔽部２１ａと支点部１１ｈとの間の距離は、遮蔽部２１ａとガイド部１１ｉとの間の距離より短い。即ち、ガイド部１１ｉは、遮蔽部２１ａが形成された電源ユニット２０の一側面側とは反対側の他側面側に形成されている。これにより、光源ユニット４０の角度が調整された場合、遮蔽部２１ａが床側を向く。従って、開口２１ｂから電源端子台２４に上面側から舞い降りる塵埃等が侵入することを抑制することができる。
【００２０】
次に、電源ユニット２０の側面がアーム１１に取り付けられる手順について説明する。先ず、アーム１１の内側且つ取付部１１ａ側に電源ユニット２０が配置される。次に、アーム１１の切起こし片１１ｇが電源ユニット２０のスリット２１ｃに引っ掛けられて嵌め込まれる。そして、電源取付ネジ１２によってアーム１１と電源ユニット２０の側面とが共締めされる。このように、アーム１１に電源ユニット２０を取り付けてアームユニット１０を構成することにより、略箱体の電源ユニット２０がアーム１１の補強材の機能を担う。従って、アームユニット１０の剛性及び強度を向上させることができる。
【００２１】
図１０は、本発明の実施の形態１に係る照明器具１を示す分解斜視図である。図１０に示すように、光源ユニット４０は、ヒートシンク３０と、本体フレーム３３と、光源モジュール４１と、レンズモジュール５０と、カバー６０と、落下防止部７０とを有している。本体フレーム３３は、一対の板材であり、アーム１１の光源保持部１１ｄに取り付けられる。本体フレーム３３は、亜鉛メッキ鋼板又はステンレス等の強度を有する板材であり、一端部が折り曲げられてフランジ３３ｂとなっている。フランジ３３ｂは、ヒートシンク３０のベース板３２に取り付けられており、折り曲げられた部分には、本体フレーム３３の強度を補助する補強リブ３３ａが設けられている。
【００２２】
（ヒートシンク３０）
ヒートシンク３０は、光源モジュール４１が一面に取り付けられるベース板３２と、ベース板３２の他側面に取り付けられ光源モジュール４１から発生する熱を放散するフィンユニット３０ａとを備えている。ベース板３２は、板金の両端部を折り曲げてＵ字状に形成されており、材質としてはアルミニウム等である。ベース板３２の折り曲げられていない２辺に、本体フレーム３３のフランジ３３ｂが取り付けられる。ベース板３２の四隅には、ベース取付穴３２ｃが形成されている。ベース板３２は、矩形状をなしており、本実施の形態１では正方形状をなしているが、長方形状としてもよい。ベース板３２は、フィンユニット３０ａよりも熱源である光源モジュール４１に近いため、厚い板材で形成されている。
【００２３】
図１１は、本発明の実施の形態１に係るフィンユニット３０ａを示す斜視図である。図１１に示すように、フィンユニット３０ａは、ベース板３２上に放射状に配置される複数のフィン３１を有している。フィンユニット３０ａとベース板３２とは、カシメ又は溶接等によって接合される。
【００２４】
図１２は、本発明の実施の形態１に係るフィン３１を示す斜視図である。図１２に示すように、フィン３１は、板金を折り曲げてＵ字状に形成されており、材質としてはアルミニウム等である。フィン３１は、Ｕ字状の底面であるフィン底面３１ａと、Ｕ字状の側面であるフィン側面３１ｂとを有している。フィン底面３１ａは、ベース板３２に取り付けられており、放射方向の中心から外側に向かって広がる等脚台形状をなしている。フィン側面３１ｂは、フィン底面３１ａの両端に接続され、ベース板３２から起立する。フィン底面３１ａが等脚台形状をなしているため、複数のフィン３１が放射状に配置されたとき、フィン側面３１ｂ同士の距離は、放射方向の中心側が広く、ベース板３２の外側が狭くなる。
【００２５】
フィン側面３１ｂの放射方向の外側上部は、Ｒ形状をなしたＲ部３１ｃとなっている。これにより、ヒートシンク３０は、形状が変更されることなく、略円錐状の照明カバー８０又は略四角錐状の照明カバー８０に収納される。また、ヒートシンク３０の上部に埃避けの板金が設けられる場合、板金の面積をベース板３２の面積よりも小さくすることができる。フィン３１には、ベース板３２に沿って連通するフィン開口３１ｄが形成されている。フィン開口３１ｄは、フィン側面３１ｂのほぼ中央に形成されている。これにより、水平方向の空気の流れが促進され、放熱性を向上させることができる。伝熱シミュレーションによれば、フィン開口３１ｄを設けることにより、フィン開口３１ｄを設けない場合に比べて放熱が促進されて、フィン開口３１ｄの雰囲気温度が約１℃低下する。
【００２６】
フィン３１は、放射方向の外側且つベース板３２側が切り欠き３１ｅとなっている。伝熱シミュレーションによれば、フィン３１の放射方向の外側且つベース板３２側の一部が切り欠かれても、放熱性能の低下は小さい。また、切り欠き３１ｅによって、フィン３１を軽量化することができる。更に、フィン底面３１ａの面積が小さくなることにより、フィンユニット３０ａとベース面との接合面積が小さくなり、カシメ箇所の数又は溶接長さ等が減ることに加え、フィンユニット３０ａとベース面とを機械的及び熱的に強固に接合することができる。
【００２７】
図１３は、本発明の実施の形態１に係るフィンユニット３０ａの配置場所を示す上面図である。図１３に示すように、フィン３１は、ベース板３２の中心から離れた位置から外側に向けて配置されている。伝熱シミュレーションによれば、ベース板３２の中央寄りにフィン３１が配置されても、放熱効果はそこまで促進されない。即ち、ベース板３２の中央に空間が形成されても、放熱性能の低下はわずかである。このように、ベース板３２の中央に空間が形成されることにより、放熱性能がほぼ低下することなく、ヒートシンク３０の部材を削減し、照明器具１を軽量化することができる。また、フィン３１は、ベース板３２の対角線に近づくほど、ベース板３２の中心から離れた位置から外側に向けて配置されている。これにより、正方形状のベース板３２上に同形状のフィン３１を満遍なく配置することができる。従って、放熱性の偏りを抑制することができる。
【００２８】
以上説明したように、フィン３１は、Ｕ字状に形成されているため、ベース板３２上に自立する。このため、フィン３１が倒れないように支持する部材が不要である。従って、フィン３１をベース板３２上に配置して接合するための治具を簡素化することができる。また、フィン３１は、ベース板３２の中心側において、隣接するフィン側面３１ｂの間隔が狭い。これにより、フィン側面３１ｂが放射状に配置される。このように、フィン側面３１ｂが放射状に配置されることにより、水平方向の空気の流れがいずれの方向からであっても、空気の流れを妨げる方向のフィン側面３１ｂの面積が小さくなる。従って、放熱性を向上させることができる。伝熱シミュレーションによれば、フィン側面３１ｂが放射状に配置される場合、フィン側面３１ｂが同方向に並べられる場合に比べて、放熱が促進され、フィン側面３１ｂの雰囲気温度が約２℃低下する。
【００２９】
図１４は、本発明の実施の形態１に係る光源ユニット４０を示す分解斜視図である。図１４に示すように、光源モジュール４１は、ベース板３２に取り付けられる正方形状の光源基板４３と、光源基板４３に複数配置された例えばＬＥＤからなる光源４２とを有している（図１０参照）。光源基板４３には、レンズモジュール５０と位置合わせされるための光源ボス穴４１ｂが４箇所形成されている。レンズモジュール５０は、光源モジュール４１の照射側に設けられる正方形状のレンズ基板５２と、レンズ基板５２に複数配置されたレンズ５１とを有しており、１つの光源４２に１つのレンズ５１が対応して設けられている。光源モジュール４１の光源４２が配置された側にレンズモジュール５０が配置される場合、光源４２とレンズ５１との位置を合わせる必要がある。レンズモジュール５０のレンズ基板５２の各辺にそれぞれ２箇所ずつ、合計で８箇所に、切り欠かれたリブ受け５０ａが形成されている。また、レンズ基板５２には、光源モジュール４１と位置合わせされるためのレンズボス穴５０ｂが４箇所形成されている。
【００３０】
カバー６０は、ベース板３２に取り付けられ、ベース板３２と共に光源モジュール４１及びレンズモジュール５０を保持する正方形状の板材である。カバー６０は、例えばポリカーボネート等の樹脂からなり、これにより、カバー６０を軽量化することができる。カバー６０は、照明器具１において、アーム１１から最も遠い位置にあるため、カバー６０が軽量化されることにより、照明器具１の回転モーメントが減少し、照明器具１の対振動性が向上する。また、カバー６０がガラスである場合、割れて破片となって落下するおそれがあるが、本実施の形態１ではカバー６０は樹脂であるため、カバー６０が割れても、破片が生じ難い。カバー６０には、枠状のカバーパッキン６２が設けられており、カバーパッキン６２は、光源モジュール４１及びレンズモジュール５０の外形と同形状をなしている。カバーパッキン６２は、光源ユニット４０が組み立てられる際に潰れて、光源モジュール４１とレンズモジュール５０とヒートシンク３０のベース板３２とが密着する。
【００３１】
カバー６０のカバーパッキン６２の内側の４辺には、それぞれ２箇所ずつ、合計で８箇所にカバーリブ６０ａが形成されている。カバーリブ６０ａは、レンズモジュール５０のリブ受け５０ａに嵌合する。カバー６０のカバーパッキン６２の内側には、カバーボス６０ｂが４個設けられている。カバーボス６０ｂは、光源モジュール４１の光源ボス穴４１ｂ及びレンズモジュール５０のレンズボス穴５０ｂに嵌合する。このように、カバーリブ６０ａがリブ受け５０ａに嵌合し、カバーボス６０ｂが光源ボス穴４１ｂ及びレンズボス穴５０ｂに嵌合することにより、光源モジュール４１及びレンズモジュール５０が位置合わせされる。
【００３２】
カバー６０の４隅には、カバー取付穴６０ｃが形成されている。カバー取付ネジ６１がカバー取付穴６０ｃ及びベース板３２のベース取付穴３２ｃに挿入されて締結されると、カバーパッキン６２が潰れて、光源モジュール４１とレンズモジュール５０とヒートシンク３０のベース板３２とが密着する。これにより、光源モジュール４１の反りを吸収し、レンズ５１が光源４２から浮いて離れることを抑制することができる。
【００３３】
落下防止部７０は、図１に示すように、被取付部に取り付けられる落下防止金具７０ａと、落下防止金具７０ａと本体フレーム３３とを接続するワイヤ７１と、ワイヤ７１と本体フレーム３３とを締結する留めネジ７２とを有している。落下防止部７０は、仮に光源ユニット４０がアーム１１から外れても、光源ユニット４０が落下することを抑制する。
【００３４】
次に、照明器具１が組み立てられる手順について説明する。先ず、フィンユニット３０ａがベース板３２に接合されて、ヒートシンク３０が製造される。次に、カバー６０に光源モジュール４１、レンズモジュール５０及びヒートシンク３０が載置されて、光源ユニット４０が組み立てられる。また、アーム１１に電源ユニット２０及び本体フレーム３３を取り付けて、アームユニット１０が組み立てられる。次に、アームユニット１０が上下逆にされて、アームユニット１０上に光源ユニット４０が載置され、カバー取付ネジ６１によって、カバー６０、ベース板３２及び本体フレーム３３が共締めされる。そして、電線２６が光源モジュール４１に取り付けられる。最後に、落下防止金具７０ａから延びるワイヤ７１と本体フレーム３３とが留めネジ７２によって締結される。
【００３５】
図１５は、本発明の実施の形態１に係る照明装置１ａを示す斜視図である。前述の如く、本実施の形態１の照明器具１において、フィン側面３１ｂの放射方向の外側上部は、Ｒ形状をなしたＲ部３１ｃとなっている。これにより、図１５に示すように、ヒートシンク３０は、形状が変更されることなく、略円錐状の照明カバー８０又は略四角錐状の照明カバー８０に収納される。
【００３６】
本実施の形態１によれば、アーム１１の電源保持部１１ｃが電源ユニット２０の側面を保持しているため、電源ユニット２０を天井等の被取付部とアーム１１とで挟み込む必要がない。このため、被取付部が変色することを抑制することができる。また、光源ユニット４０と電源ユニット２０とは、アーム１１の別々の位置である光源保持部１１ｄ及び電源保持部１１ｃにおいて、それぞれ保持されている。このため、アーム１１の特定の１箇所に荷重が集中しない。従って、簡便にアーム１１の剛性を確保することができる。
【００３７】
また、本実施の形態１によれば、複数のフィン３１がベース板３２上に放射状に配置されているため、水平方向の空気の流れがいずれの方向からであっても、空気の流れを妨げる方向のフィン３１の面積が小さくなる。従って、放熱性を向上させることができる。
【００３８】
実施の形態２．
図１６は、本発明の実施の形態２に係るアーム１１１を示す斜視図である。本実施の形態２は、照明器具１００のアーム１１１が一対の片側アーム１１−１、１１−２からなる点で、実施の形態１と相違する。実施の形態１では、取付部１１ａが一対の腕部１１ｂを連結し、被取付部に取り付けられるが、本実施の形態２では、片側アーム１１−１、１１−２のそれぞれの取付部１１ａが被取付部に取り付けられる。このように、アーム１１１が、一対の片側アーム１１−１、１１−２から構成されていても、実施の形態１と同様の効果を奏する。
【００３９】
実施の形態３．
図１７は、本発明の実施の形態３において光源ユニット４０がアーム１１から取り外された状態を示す斜視図である。本実施の形態３は、照明器具２００の電源ユニット２２０において、遮蔽部２１ａが開口２１ｂの上部及び側部を覆う端子台カバー２５である点で、実施の形態１と相違する。この場合、遮蔽部２１ａは、電源ユニット２２０のケース２１の上面側にネジで固定される。このように、遮蔽部２１ａが端子台カバー２５から構成されていても、実施の形態１と同様の効果を奏する。
【符号の説明】
【００４０】
１  照明器具、１ａ  照明装置、１０  アームユニット、１１  アーム、１１−１、１１−２  片側アーム、１１ａ  取付部、１１ｂ  腕部、１１ｃ  電源保持部、１１ｄ  光源保持部、１１ｅ  アーム取付穴、１１ｊ  通線穴、１１ｆ  締結穴、１１ｇ  切起こし片、１１ｈ  支点部、１１ｉ  ガイド部、１２  電源取付ネジ、１３  角度調整ボルト、２０  電源ユニット、２１  ケース、２１ａ  遮蔽部、２１ｂ  開口、２１ｃ  スリット、２２  ケーストップ、２３  ケースボトム、２４  電源端子台、２５  端子台カバー、２６  電線、３０  ヒートシンク、３０ａ  フィンユニット、３１  フィン、３１ａ  フィン底面、３１ｂ  フィン側面、３１ｃ  Ｒ部、３１ｄ  フィン開口、３１ｅ  切り欠き、３２  ベース板、３２ｃ  ベース取付穴、３３  本体フレーム、３３ａ  補強リブ、３３ｂ  フランジ、４０  光源ユニット、４１  光源モジュール、４１ｂ  光源ボス穴、４２  光源、４３  光源基板、５０  レンズモジュール、５０ａ  リブ受け、５０ｂ  レンズボス穴、５１  レンズ、５２  レンズ基板、６０  カバー、６０ａ  カバーリブ、６０ｂ  カバーボス、６０ｃ  カバー取付穴、６１  カバー取付ネジ、６２  カバーパッキン、７０  落下防止部、７０ａ  落下防止金具、７１  ワイヤ、７２  留めネジ、８０  照明カバー、１００  照明器具、１１１  アーム、２００  照明器具、２２０  電源ユニット。
【図１】
2019145344.tif 000003
【図２】
2019145344.tif 000004
【図３】
2019145344.tif 000005
【図４】
2019145344.tif 000006
【図５】
2019145344.tif 000007
【図６】
2019145344.tif 000008
【図７】
2019145344.tif 000009
【図８】
2019145344.tif 000010
【図９】
2019145344.tif 000011
【図１０】
2019145344.tif 000012
【図１１】
2019145344.tif 000013
【図１２】
2019145344.tif 000014
【図１３】
2019145344.tif 000015
【図１４】
2019145344.tif 000016
【図１５】
2019145344.tif 000017
【図１６】
2019145344.tif 000018
【図１７】
2019145344.tif 000019